(57)【要約】【課題】直接冷却方式にて冷却される冷蔵室と、間接冷却方式にて冷却される冷凍室と、それ以外の複数の保温室を備えたものにおいて、保温室を設定温度にコントロールすることにより、食品の保鮮を向上し、使い勝手の良い冷蔵庫を提供する。【解決手段】蒸発器５３の蒸発潜熱を冷凍室ファン５４にて保温室３１内へ循環させ、さらに、保温室３１の温度を検知している機械式ダンパー３４にて循環する冷気量をコントロールすることにより保温室３１の温度を一定に保つことで、保温室ケース３２内の食品の温度を一定に保つことが可能となり、食品の保鮮性を向上することができる。【選択図】図１
2005195293.tif 000002
【特許請求の範囲】
【請求項１】
直接冷却方式にて冷却される冷蔵室と、間接冷却方式にて冷却される冷凍室と、それ以外の複数の保温室を備えたものにおいて、冷凍室と繋がるダクトと、冷気の吐出吸込口と、ダクト内にダンパーを設けた風路を構成し、前記複数の風路を保温室内に設置したことを特徴とする冷蔵庫。
【請求項２】
ダクト内に電動式ダンパーを設けた風路を構成し、前記複数の風路を保温室内に設置したことを特徴とする請求項１記載の冷蔵庫。
【請求項３】
直接冷却方式にて冷却される冷蔵室と、間接冷却方式にて冷却される冷凍室と、それ以外の複数の保温室を備えたものにおいて、冷凍室と繋がるダクトと、冷気の吐出吸込口と、ダクト内に保温室ファンを設けた風路を構成し、前記複数の風路を保温室内に設置したことを特徴とする冷蔵庫。
【請求項４】
直接冷却方式にて冷却される冷蔵室と、間接冷却方式にて冷却される冷凍室と、それ以外の複数の保温室を備えたものにおいて、複数のヒーターを保温室内に設置したことを特徴とする冷蔵庫。
【請求項５】
複数のヒーターを保温室内に設けたことを特徴とする請求項１から３のいずれか一項に記載の冷蔵庫。
【請求項６】
保温室天面に吐出ダクトと、吐出口を設けたことを特徴とする請求項１から３または請求項５のいずれか一項に記載の冷蔵庫。
【請求項７】
保温室内に保温室内攪拌用ファンを設けたことを特徴とする請求項１から６のいずれか一項に記載の冷蔵庫。
【請求項８】
アルミプレートと、ダクトを設けた風路を構成し、前記複数の風路を保温室天面に設置したことを特徴とする請求項１から３または請求項５のいずれか一項に記載の冷蔵庫。
【請求項９】
冷凍室に回転数可変可能な冷凍室ファンを設けたことを特徴とする請求項１から８のいずれか一項に記載の冷蔵庫。
【発明の詳細な説明】
【技術分野】
【０００１】
本発明は、直接冷却方式にて冷却される冷蔵室と、間接冷却方式にて冷却される冷凍室と異なる複数の保温室を有する冷蔵庫に関するものである。
【背景技術】
【０００２】
従来、この種の冷蔵庫は、圧縮機から吐出された冷媒が凝縮器、三方弁、蒸発器を通過し、再び圧縮機に戻る冷凍サイクルを構成し、蒸発器で冷却された冷却壁面により庫内を冷却する直接冷却式と、蒸発器で冷却された冷気を庫内へ循環させて庫内を冷却する間接冷却式がある。（例えば、特許文献１参照）。
【０００３】
以下、図面を参照しながら上記従来の冷蔵庫を説明する。
【０００４】
図９は、特許文献１に記載された従来の冷蔵庫の概略断面図を示すものである。図９に示すように、従来の冷蔵庫は、断熱効果のある仕切り板１２１によって、冷蔵ゾーン１２２と冷凍ゾーン１２３とが上下に区画され、さらに、冷蔵ゾーン１２２内は仕切り板１２４によって、冷蔵室２１と野菜室１２４とが上下に区画形成されている。また、冷凍ゾーン１２３内では、仕切り板１２５によって、第１冷凍室１２６と第２冷凍室１２７にそれぞれ仕切られている。そして、冷蔵室２１の内箱５壁面に冷却パイプ１２８が配置され、冷凍ゾーン１２３背面には蒸発器５３と冷凍室ファン５２を備えた構成となっている。
【特許文献１】特開２０００−２８２５７号公報
【発明の開示】
【発明が解決しようとする課題】
【０００５】
しかしながら、上記従来の構成では、冷蔵ゾーンにある野菜室の温度は冷蔵室の温度に依存してしまうため温度コントロールが難しく、野菜の保鮮劣化を早めてしまい、食品保存上好ましくない。
【０００６】
一方、第１冷凍室においても、第２冷凍室の温度の影響を受けるため温度コントロールが難しく、使用上の制約を受けてしまい、使い勝手が好ましくないという欠点を有していた。
【０００７】
本発明は従来の課題を解決するもので、独立した複数の保温室を有し、それらを設定温度にコントロールするより、食品の保鮮を向上し、使い勝手の良い冷蔵庫を提供することを目的とする。
【課題を解決するための手段】
【０００８】
上記従来の課題を解決するために、本発明の冷蔵庫は、直接冷却方式にて冷却される冷蔵室と、間接冷却方式にて冷却される冷凍室と、それ以外の複数の保温室を備えたものにおいて、間接冷却方式にて冷却される冷凍室に繋がるダクトと、冷気の吐出吸込口と、ダクト内にダンパーを設けた風路を構成し、前記複数の風路を保温室内に設置したものである。
【０００９】
これによって、ダクト内にあるダンパーの設定温度（動作温度）範囲内で冷気量をコントロールし、保温室を一定温度に保つことで、食品の温度を一定に保つことができる。
【００１０】
また、本発明の冷蔵庫は、直接冷却方式にて冷却される冷蔵室と、間接冷却方式にて冷却される冷凍室と、それ以外の複数の保温室を備えたものにおいて、複数のヒーターを保温室内に設置したものである。
【００１１】
これによって、保温室を冷蔵室温度以上の任意温度にコントロールすることができ、食品の加熱、保温を行うことができ、使い勝手を向上することが可能となる。
【発明の効果】
【００１２】
本発明の冷蔵庫は、直接冷却方式にて冷却される冷蔵室と、間接冷却方式にて冷却される冷凍室と、それ以外の複数の保温室を備えたものにおいて、保温室を一定温度もしくは任意温度にコントロールすることができ、食品の保鮮を保つことができるとともに使い勝手を向上することができる。
【発明を実施するための最良の形態】
【００１３】
請求項１に記載の発明は、直接冷却方式にて冷却される冷蔵室と、間接冷却方式にて冷却される冷凍室と、それ以外の複数の保温室を備えたものにおいて、冷凍室と繋がるダクトと、冷気の吐出吸込口と、ダクト内にダンパーを設けた風路を構成し、前記複数の風路を保温室内に設置したことにより、ダクト内にあるダンパーの設定温度（動作温度）範囲内で冷気量をコントロールし、保温室を一定温度に保つことにより、食品の温度を一定に保つことができ、食品の保鮮性を向上することが可能となる。
【００１４】
請求項２に記載の発明は、請求項１に記載の発明において、ダクト内に電動式ダンパーを設けた風路を構成し、前記複数の風路を保温室内に設置したことにより、保温室を任意温度にコントロールすることができ、使い勝手を向上することが可能となる。さらに、保温室を使用しない場合は、保温室に冷気を循環する必要がなくなり、強制的に電動式ダンパーを閉じることにより、無駄な冷却を防止し、消費電力量を抑制できる。さらに、冷却室内の蒸発器を除霜する際、電動式ダンパーを閉じることにより、保温室への暖湿気侵入を防止することができ、着霜防止及び、除霜効率向上による消費電力量抑制が可能となる。
【００１５】
請求項３に記載の発明は、直接冷却方式にて冷却される冷蔵室と、間接冷却方式にて冷却される冷凍室と、それ以外の複数の保温室を備えたものにおいて、冷凍室と繋がるダクトと、冷気の吐出吸込口と、ダクト内に保温室ファンを設けた風路を構成し、前記複数の風路を保温室内に設置したことにより、保温室への冷気量を調整し、保温室を任意温度にコントロールすることができ、食品の保鮮向上、使い勝手を向上することが可能となる。また、急速冷却、緩慢冷却等の食品冷却速度もコントロール可能となり、さらなる食品の保鮮度向上を図ることができる。
【００１６】
請求項４に記載の発明は、直接冷却方式にて冷却される冷蔵室と、間接冷却方式にて冷却される冷凍室と、それ以外の複数の保温室を備えたものにおいて、複数のヒーターを保温室内に設置したことにより、保温室を冷蔵室温度以上の任意温度にコントロールすることができ、食品の加熱、保温を行うことができ、使い勝手を向上することが可能となる。
【００１７】
請求項５に記載の発明は、請求項１から３のいずれか一項に記載の発明において、複数のヒーターを保温室内に設けたことにより、保温室内をきめ細やかな任意温度にコントロールすることが可能となるとともに、食品を任意の時間で加熱、冷却することが可能となり、食品の加工性を向上することができる。
【００１８】
請求項６に記載の発明は、請求項１から３または請求項５のいずれか一項に記載の発明において、保温室天面に吐出ダクトと、吐出口を設けたことにより、保温室内へ冷気をシャワー方式で冷却することができ、より保温室内の温度分布を低減することが可能となり、食品をどの位置に配置しても均一に冷却することができる。
【００１９】
請求項７に記載の発明は、請求項１から６のいずれか一項に記載の発明において、保温室内に保温室内攪拌用ファンを設けたことにより、室内の空気循環によりヒーターによる局部的な加熱も防止することが可能となり、より保温室内の温度分布を低減することが可能となる。
【００２０】
請求項８に記載の発明は、請求項１から３または請求項５のいずれか一項に記載の発明において、アルミプレートと、ダクトを設けた風路を構成し、前記複数の風路を保温室天面に設置したことにより、保温室内の天面にあるアルミプレートにて保温室内は冷却することが可能となり、また、保温室内へ直接冷気を循環させないため、保温室内の湿度を低下させ難く、食品の乾燥を低減することが可能となる。
【００２１】
請求項９に記載の発明は、請求項１から８のいずれか一項に記載の発明において、冷凍室に回転数可変可能な冷凍室ファンを設けたことにより、保温室、冷凍室内に冷却必要な食品を投入された場合には冷凍室ファンの回転数を上昇させ、保温室、冷凍室への冷気を増加し、急速に保温室、冷凍室内の食品を冷却することができる。さらに、保温室、冷凍室が十分冷却されている場合、冷凍室ファンの回転数を低下させ、冷凍室ファンの入力を低下させ、冷凍室ファンの消費電力量低減を図ることができる。そして、冷凍室ファン回転数を低下することで、冷凍室ファン騒音の低減も図ることができ、低騒音化が可能になる。
【００２２】
以下、本発明の実施の形態について、図面を参照しながら説明する。なお、この実施の形態によってこの発明が限定されるものではない。
【００２３】
（実施の形態１）
図１は、本発明の実施の形態１における冷蔵庫の縦断面の図を示すものである。
【００２４】
図１において、キャビネット１は、内箱５と外箱６との間に断熱材７が充填された断熱箱体８によって構成された冷蔵庫を示している。冷蔵庫は上から冷蔵室２１、保温室３１、冷凍室４１を有しており、前面は冷蔵室開閉扉２、保温室開閉扉３、冷凍室開閉扉４となっている。
【００２５】
冷蔵室２１と保温室３１は断熱効果を有する仕切り板９によって、保温室３１と冷凍室４１は断熱効果を有する仕切り板１０によって仕切られている。仕切り板１０の奥には、冷凍室４１と繋がるダクト１１が設置されている。
【００２６】
冷蔵室２１内には食品を収納するための冷蔵室棚２２及び、冷蔵室ケース２３が配置されている。また、冷蔵室２１の内箱５背面には、壁面に接してチューブオンシート１９（蒸発器）が配置され、冷蔵室２１庫内はチューブオンシート１９によって冷却される冷却壁面を有する構成となっている。
【００２７】
冷凍室４１内にある冷却室５１は、断熱効果を有する仕切り板４４によって仕切られている。冷却室５１内には、冷凍室ファン５２と蒸発器５３と除霜用ヒーター５４が配置されている。仕切り板４４には、冷凍室ファン５２から吐出された冷気を冷凍室４１内にある食品を収納するための冷凍室ケース４２へ吐出される吐出口４３を構成するとともに、仕切り板１０の奥にある保温室３１へ繋がるダクト１１へ繋がる風路も構成している。
【００２８】
図２は冷凍サイクルを示めすものである。圧縮機６１から吐出された冷媒は、凝縮器６２で凝縮され、三方弁６３にて流路を切り替えている。一方は、キャピラリーチューブ６４で減圧され、チューブオンシート１９、蒸発器５３にて蒸発し、アキュームレーター６６を介して、再度、圧縮機６１へ戻る冷蔵室・冷凍室同時冷却サイクルを構成している。また、他方は、キャピラリーチューブ６５で減圧され、蒸発器５３にて蒸発し、アキュームレーター６６を介して、圧縮機６１へ戻る冷凍室単独冷却サイクルを構成している。したがって、冷蔵室２１は内箱５背面に接しているチューブオンシート１９により冷却され、冷凍室４１は蒸発器５３の蒸発潜熱を冷凍室ファン５２により撹拌し冷却している。
【００２９】
保温室３１内は、食品を収納するための保温室ケース３２があり、背面には機械式ダンパー３４を内部に有したダクト３３が配置されている。ダクト３３には、仕切り板１０の奥にあるダクト１１と接続され、また、機械式ダンパー３４下流側に、保温室３１内へ吐出する吐出口３５が構成されている。
【００３０】
以上のように構成された冷蔵庫について、以下その動作、作用を説明する。
【００３１】
まず、圧縮機６１が稼動することで、冷媒が圧縮、凝縮、減圧されることによりチューブオンシート１９、蒸発器５３が蒸発潜熱によって冷却される。
【００３２】
チューブオンシート１９おいては、冷蔵室２１の内箱５の背面に接しており、冷蔵室２１の内箱５の背面が冷却壁面となり、冷蔵室２１内の冷蔵室棚２２、冷蔵室ケース２３の冷却を行っている。
【００３３】
一方、冷却室内５１にある蒸発器５３においては、冷凍室ファン５２によって冷気を吐出させ、仕切り板４４内の風路を通過し、吐出口４３より冷凍室ケース４２へ吐出される。吐出した冷気は冷凍室ケース４２と熱交換した後、仕切り板４４下部より吸い込まれる。
【００３４】
さらに、冷凍室ファン５２によって吐出された冷気は仕切り板４４内の風路を通過するが、一部冷気は仕切り板１０の奥にあるダクト１１へ流入し、保温室３１内背面にあるダクト３３へ循環していく。ダクト３３に流入した冷気は、機械式ダンパー３４を通過し、吐出口３５より保温室ケース３２に吐出され、保温室ケース３２と熱交換した後、背面にあるダクト３３より吸い込まれ、冷却室５１へ戻される。このとき、機械式ダンパー３４の感熱部は保温室３１内の温度を検知しており、保温室３１の温度変化により、機械式ダンパー３４の設定温度（動作温度）範囲内で機械式ダンパーを通過する冷気量をコントロールし、保温室３１の温度を一定に保っている。
【００３５】
以上のように、本実施の形態では蒸発器５３の蒸発潜熱を冷凍室ファン５２にて保温室３１内へ循環させ、さらに、保温室３１の温度を検知している機械式ダンパー３４にて循環する冷気量をコントロールすることにより保温室３１の温度を一定に保つことで、保温室ケース３２内の食品の温度を一定に保つことが可能となり、食品の保鮮性を向上することができる。
【００３６】
また、本実施の形態の機械式ダンパー３４を電動式ダンパーにすることにより、特に、機械式ダンパー３４であった設定温度（動作温度）の制約がなくなり、保温室３１を任意温度にコントロールすることができ、様々な食品に適した温度を作り出すことが可能となる。さらに、機械式ダンパー３４では不可能であった強制閉が可能となり、保温室３１を使用しない場合は、保温室３１に冷気を循環する必要がなくなり、強制的に電動式ダンパーを閉じることにより、無駄な冷却を防止し、消費電力量を抑制できる。また、冷却室５１内の蒸発器５３を除霜する際、電動式ダンパーを強制閉することにより、保温室３１への暖湿気侵入を防止することができ、着霜防止及び、除霜効率向上による消費電力量抑制が可能となる。
【００３７】
また、本実施の形態の機械式ダンパー３４を回転数可変可能な保温室ファンにすることにより、保温室３１への冷気量を調整し、機械式ダンパー３４であった設定温度（動作温度）の制約がなくなり、保温室３１を任意温度にコントロールすることも可能となり、様々な食品に適した温度を作り出すことが可能となる。また、急速冷却、緩慢冷却等の冷却速度もコントロールでき、さらなる食品の保鮮度向上を図ることができる。
【００３８】
（実施の形態２）
図３は、本発明の実施の形態２の冷蔵庫の保温室周辺の断面図を示すものである。尚、実施の形態１と同一構成については、同一符号を付してその詳細な説明は省略する。
【００３９】
図３において、保温室３１と冷凍室４１は、ヒーター７５を内蔵した仕切り板７１にて仕切られている。仕切り板７１は、保温室３１底面壁７２と冷凍室４１天面壁７３の間に断熱材７４が充填されてた構造となっている。さらに、保温室３１底面壁７２の壁面に接してヒーター７５が配置され、保温室３１内はヒーター７５によって加熱される加熱壁面を有する構成となっている。
【００４０】
なお、本実施の形態の冷蔵庫の冷凍サイクルは、図２に示す実施の形態１の冷凍サイクルと同一構成であるため、詳細な説明は省略する。
【００４１】
以上のように構成された本実施の形態の冷蔵庫について、以下、実施の形態１と異なる部分を中心に、その動作、作用を説明する。
【００４２】
冷蔵室２１、保温室３１、冷凍室４１の温度を検知する手段によりヒーター７５の通電率を調整し、発熱量を変化させる。ヒーター７５は保温室３１底面壁７２の壁面に接しており、保温室３１底面壁７２が加熱壁面となり、保温室３１内の保温室ケース３２の加熱を行っている。
【００４３】
以上のように、本実施の形態では、冷蔵室２１、保温室３１、冷凍室４１の温度を検知する手段により、ヒーター７５の通電率を調整し発熱量をコントロールすることにより、保温室３１を加熱することができ、保温室ケース３２内の食品の温度を冷蔵室温度以上の温度帯で一定に保つことが可能となる。また、ヒーター７５の発熱量を調整することで、食品の加熱速度のコントロールができ、使い勝手を向上することが可能となる。
【００４４】
（実施の形態３）
図４は、本発明の実施の形態３の冷蔵庫の保温室周辺の断面図を示すものである。尚、実施の形態１もしくは実施形態２と同一構成については、同一符号を付してその詳細な説明は省略する。
【００４５】
図４において、保温室３１と冷凍室４１は、ヒーター７５を内蔵した仕切り板８１にて仕切られている。仕切り板８１は、保温室３１底面壁７２と冷凍室４１天面壁７３の間に断熱材７４が充填されてた構造となっている。さらに、保温室３１底面壁７２の壁面に接してヒーター７５が配置され、保温室３１内はヒーター７５によって加熱される加熱壁面を有する構成となっている。
【００４６】
保温室３１の背面には機械式ダンパー３４を内部に有したダクト３３が配置されている。ダクト３３には、仕切り板８１の奥にあるダクト１１と接続され、また、機械式ダンパー３４下流側に、保温室３１内へ吐出する吐出口３５が構成されている。
【００４７】
なお、本実施の形態の冷蔵庫の冷凍サイクルは、図２に示す実施の形態１の冷凍サイクルと同一構成であるため、説明は省略する。
【００４８】
以上のように構成された本実施の形態の冷蔵庫について、以下、実施の形態１もしくは実施の形態２と異なる部分を中心に、その動作、作用を説明する。
【００４９】
冷凍室ファン５２によって吐出された一部冷気が仕切り板８１の奥にあるダクト１１へ流入し、保温室３１背面にあるダクト３３へ循環していく。ダクト３３に流入した冷気は、機械式ダンパー３４を通過し、吐出口３５より保温室ケース３２に吐出され、保温室ケース３２と熱交換した後、背面にあるダクト３３より吸い込まれ、冷却室５１へ戻される。このとき、機械式ダンパー３４の感熱部は保温室３１内の温度を検知しており、保温室３１の温度変化により、機械式ダンパー３４の設定温度（動作温度）範囲内で機械式ダンパー３４を通過する冷気量をコントロールし、温度を一定に保っている。
【００５０】
さらに、冷蔵室２１、保温室３１、冷凍室４１の温度を検知する手段によりヒーター７５の通電率を調整し、発熱量を変化させ、保温室３１内の保温室ケース３２の加熱を行っている。
【００５１】
以上のように、本実施の形態では、保温室３１の温度を検知している機械式ダンパー３４にて循環する冷気量をコントロールすることにより保温室３１の温度を一定に保ち、さらに、冷蔵室２１、保温室３１、冷凍室４１の温度を検知する手段によりヒーター７５の通電率を調整し、発熱量をコントロールすることにより、保温室３２内の食品をきめ細やかな一定温度に保つことが可能となる。
【００５２】
また、本実施の形態の機械式ダンパー３４を電動式ダンパーにすることにより、保温室３１を任意温度に調整し、さらに、ヒーター７５の発熱量をコントロールすることにより、食品収納ケース３２内の食品をきめ細やかな任意温度に保つことが可能となる。また、電動式ダンパーの開度率、ヒーター７５の発熱量を調整することで、食品の加熱→冷却、冷却→加熱することが可能となり、食品の加工性を向上することが可能となる。
【００５３】
また、本実施の形態の機械式ダンパー３４を保温室ファンにすることにより、保温室ファンの回転数を可変し、ヒーター７５の発熱量をコントロールすることにより、保温室ケース３２内の食品をきめ細やかな任意温度に保つことが可能となる。また、急速冷却、緩慢冷却、急速加熱、緩慢加熱等の冷却、加熱速度もコントロールでき、さらなる食品の保鮮度、加工性向上を図ることができる。
【００５４】
（実施の形態４）
図５は、本発明の実施の形態４の冷蔵庫の保温室周辺の断面図を示すものである。尚、実施の形態１、実施の形態２もしくは実施形態３と同一構成については、同一符号を付してその詳細な説明は省略する。
【００５５】
図５において、冷蔵室２１と保温室３１は、天面ダクト９４を有した仕切り板９１にて仕切られている。仕切り板９１は、冷蔵室２１底面壁９２と保温室３１天面壁９３の間に断熱材９５が充填された構造となっている。さらに、断熱材９５の一部を凹型に削除して、保温室３１天面壁９３の壁面との間に天面ダクト９４を構成している。また、天面ダクト９４の奥は、保温室３１背面ダクト３３の機械式ダンパー３４出口側風路と繋がっている。そして、天面ダクト９４を構成している保温室３１天面壁９３には、複数の吐出口９６が形成されている。
【００５６】
なお、本実施の形態の冷蔵庫の冷凍サイクルは、図２に示す実施の形態１の冷凍サイクルと同一構成であるため、説明は省略する。
【００５７】
以上のように構成された本実施形態の冷蔵庫について、以下、実施の形態１、実施の形態２もしくは実施の形態３と異なる部分を中心に、その動作、作用を説明する。
【００５８】
冷凍室ファン５２によって吐出された一部冷気が仕切り板８１の奥にあるダクト１１へ流入し、保温室３１背面にあるダクト３３へ循環していく。ダクト３３に流入した冷気は、機械式ダンパー３４を通過し、天面ダクト９４へ送り込まれる。天面ダクト９４を構成している保温室３１天面壁９３の吐出口９６より保温室ケース３２の上方から吐出され、保温室ケース３２と熱交換した後、背面にあるダクト３３より吸い込まれ、冷却室５１へ戻される。
【００５９】
以上のように、本実施の形態では、機械式ダンパー３４を通過した冷気は、天面ダクト９４を通過、保温室３１天面壁９３の吐出口９６より吐出することにより、保温室３１内へシャワー方式で冷却することができ、保温室ケース３２内の温度分布を低減することが可能となり、食品をどの位置に配置しても均一な一定温度に保つことが可能となる。
【００６０】
また、本実施の形態の機械式ダンパー３４を電動式ダンパーにすることにより、食品をどの位置に配置しても、きめ細やかなで、且つ均一な任意温度に保つことが可能となる。
また、本実施の形態の機械式ダンパー３４を保温室ファンにすることにより、上述同様に食品をどの位置に配置しても、きめ細やかなで、且つ均一な任意温度に保つことが可能となる。
【００６１】
（実施の形態５）
図６は、本発明の実施の形態５の冷蔵庫の保温室周辺の断面図を示すものである。尚、実施の形態１、実施の形態２、実施の形態３もしくは実施の形態４と同一構成については、同一符号を付してその詳細な説明は省略する。
【００６２】
図６において、保温室３１内にある保温室ケース３２背面に、保温室内攪拌用ファン３６を配置している。
【００６３】
なお、本実施の形態の冷蔵庫の冷凍サイクルは、図２に示す実施の形態１の冷凍サイクルと同一構成であるため、説明は省略する。
【００６４】
以上のように構成された本実施形態の冷蔵庫について、以下、実施の形態１、実施の形態２、実施の形態３もしくは実施の形態４と異なる部分を中心に、その動作、作用を説明する。
【００６５】
保温室内攪拌用ファン３６を回転することにより、保温室ケース３２周辺の雰囲気が攪拌される。
【００６６】
以上のように、本実施の形態では、保温室内攪拌用ファン３６を回転することにより、保温室ケース３２周辺の雰囲気を攪拌することができ、保温室ケース３２内の温度分布を低減することが可能となり、食品をどの位置に配置しても均一な一定温度に保つことが可能となる。さらに、雰囲気の循環により、ヒーター７５による局部的な加熱も防止することができ、より保温室ケース３２内の温度分布を低減することが可能となる。
【００６７】
（実施の形態６）
図７は、本発明の実施の形態６の冷蔵庫の保温室周辺の断面図を示すものである。尚、実施の形態１、実施の形態２、実施の形態３、実施の形態４もしくは実施の形態５と同一構成については、同一符号を付してその詳細な説明は省略する。
【００６８】
図７において、冷蔵室２１と保温室３１は、仕切り板１０１にて仕切られている。仕切り板１０１は、冷蔵室２１底面壁１０２と保温室３１天面壁１０３の間に断熱材１０５が充填されてた構造となっている。さらに、断熱材１０５の一部を凹型に削除して、保温室３１天面壁１０３の壁面との間に天面ダクト１０４を構成している。また、天面ダクト１０４の奥は、保温室３１背面ダクト３３の機械式ダンパー３４出口側風路、冷却室５１へ戻す戻り風路と繋がっている。そして、天面ダクト１０４を構成している保温室３１天面壁１０３には、アルミプレート１０６が嵌め込まれている。
【００６９】
なお、本実施の形態の冷蔵庫の冷凍サイクルは、図２に示す実施の形態１の冷凍サイクルと同一構成であるため、説明は省略する。
【００７０】
以上のように構成された本実施形態の冷蔵庫について、以下、実施の形態１、実施の形態２、実施の形態３、実施の形態４もしくは実施の形態５と異なる部分を中心に、その動作、作用を説明する。
【００７１】
冷凍室ファン５２によって吐出された一部冷気が仕切り板８１の奥にあるダクト１１へ流入し、保温室３１背面にあるダクト３３へ循環していく。ダクト３３に流入した冷気は、機械式ダンパー３４を通過し、天面ダクト１０４へ送り込まれる。天面ダクト１０４を構成している保温室３１天面壁１０３のアルミプレート１０６が通過する冷気により冷却され、下方にある保温室ケース３２は自然対流にて冷却される。天面ダクト１０４を通過した冷気は、背面にあるダクト３３の戻り風路を通過し、冷却室５１へ戻される。
【００７２】
以上のように、本実施の形態では、機械式ダンパー３４を通過した冷気は、天面ダクト１０４を通過、保温室３１天面壁１０３にはめ込まれているアルミプレート１０６を冷却することにより、保温室３１内を自然対流方式で冷却し、保温室３１内へ直接冷気を循環させないため、保温室３１内の湿度を低下抑制でき、食品の乾燥を低減することが可能となる。
【００７３】
（実施の形態７）
図８は、本発明の実施の形態７の冷蔵庫の冷凍室周辺の断面図を示すものである。尚、実施の形態１、実施の形態２、実施の形態３、実施の形態４、実施の形態５もしくは実施の形態６と同一構成については、同一符号を付してその詳細な説明は省略する。
【００７４】
図８において、冷凍室４１内にある冷却室５１は、断熱効果を有する仕切り板１１２によって仕切られている。仕切り板１１２には、回転数可変な冷凍室ファン１１１が嵌め込まれている。冷却室５１内には、蒸発器５３と除霜用ヒーター５４が配置されている。仕切り板１１２には、回転数可変冷凍室ファン１１１から吐出された冷気を冷凍室４１内にある冷凍室ケース４２へ吐出される吐出口４３を構成するとともに、仕切り板１０の奥にある保温室３１へ繋がるダクト１１へ繋がる風路も構成している。
【００７５】
以上のように構成された本実施形態の冷蔵庫について、以下、実施の形態１、実施の形態２、実施の形態３、実施の形態４、実施の形態５もしくは実施の形態６と異なる部分を中心に、その動作、作用を説明する。
【００７６】
冷却室内５１にある蒸発器５３においては、回転数可変冷凍室ファン１１１によって冷気を吐出させ、仕切り板１１２内の風路を通過し、吐出口４３より冷凍室ケース４２へ吐出される。吐出した冷気は冷凍室ケース４２と熱交換した後、仕切り板１１２下部より吸い込まれる。
【００７７】
さらに、回転数可変冷凍室ファン１１１によって吐出された冷気は仕切り板１１２内の風路を通過するが、一部冷気は仕切り板１０の奥にあるダクト１１へ流入し、保温室３１内背面にあるダクト３３へ循環していく。
【００７８】
以上のように、本実施の形態では、冷凍室ファンを回転数可変可能な冷凍室ファンとすることにより、回転数を可変することが可能となる。したがって、保温室３１、冷凍室４１内に冷却必要な食品を投入された場合には回転数可変冷凍室ファン１１１回転数を上昇させ、保温室３１、冷凍室４１への冷気を増加し、急速に保温室３１、冷凍室４１内の食品を冷却することができる。さらに、保温室３１、冷凍室４１が十分冷却されている場合、回転数可変冷凍室ファン１１１の回転数を低下し、入力を低下することで、回転数可変冷凍室ファン１１１の消費電力量低減を図ることができる。そして、回転数可変冷凍室ファン１１１回転数を低下することで、回転数可変冷凍室ファン１１１騒音の低減も図ることができ、低騒音化が可能になる。
【産業上の利用可能性】
【００７９】
以上のように、本発明による冷蔵庫は、保温室を一定温度もしくは任意温度にコントロールすることができ、食品の保鮮を保つこととともに使い勝手を向上し、食品の保鮮性向上を図ることが可能となるので、冷蔵庫以外の冷凍機器等の用途にも適用できる。
【図面の簡単な説明】
【００８０】
【図１】本発明の実施の形態１における冷蔵庫の縦断面図
【図２】本発明の実施の形態１における冷凍サイクルの構成図
【図３】本発明の実施の形態２における冷蔵庫の縦断面図
【図４】本発明の実施の形態３における冷蔵庫の縦断面図
【図５】本発明の実施の形態４における冷蔵庫の縦断面図
【図６】本発明の実施の形態５における冷蔵庫の縦断面図
【図７】本発明の実施の形態６における冷蔵庫の縦断面図
【図８】本発明の実施の形態７における冷蔵庫の縦断面図
【図９】従来技術における冷蔵庫の縦断面図
【符号の説明】
【００８１】
１    キャビネット
１１、３３    ダクト
１９    チューブオンシート（蒸発器）
２１    冷蔵室
３１    保温室
３４    機械式ダンパー
３５    吐出口（保温室用）
３６    保温室内攪拌用ファン
４１    冷凍室
４３    吐出口（冷凍室用）
５２    冷凍室ファン
５３    蒸発器
７５    ヒーター
９４、１０４    天面ダクト
９６    吐出口
１０６    アルミプレート
１１１    回転数可変冷凍室ファン
【図１】
2005195293.tif 000003
【図２】
2005195293.tif 000004
【図３】
2005195293.tif 000005
【図４】
2005195293.tif 000006
【図５】
2005195293.tif 000007
【図６】
2005195293.tif 000008
【図７】
2005195293.tif 000009
【図８】
2005195293.tif 000010
【図９】
2005195293.tif 000011